(57)【特許請求の範囲】
【請求項１】
軽量形鋼を用いる住宅の床用根太として用いられる断面形状がＣ形の鋼材を被覆して断熱を行なうための発泡樹脂製の断熱材において、該発泡樹脂製の断熱材が、断面形状が略Ｌ型の被覆部材と断面形状が上面部を極端に肉太とした略コ型の支持被覆部材との少なくとも二つの部材から構成されており、前記略Ｌ型の被覆部材が、その垂直部分を前記鋼材の側面の平坦部側を被覆する平坦部側被覆部となすと共に、その水平部分を鋼材の下面部側を被覆する下面部被覆用突起部となしたものであり、前記略コ型の支持被覆部材が、その上面部を鋼材の溝部側に嵌合する嵌合用突起部となすと共に、その支持被覆部材の下面部を鋼材側に突出して前記略Ｌ型の被覆部材の下面部被覆用突起部を前記鋼材の下面部との間で挟んで略Ｌ型の被覆部材を支持固定する挟着用突起部となしていることを特徴とする、軽量形鋼を用いる住宅の根太用断熱材。
【請求項２】
断面形状が略Ｌ型の被覆部材及び断面形状が略コ型の支持被覆部材の上面部に、鋼材と反対側の角部に段部を形成した、請求項１に記載の軽量形鋼を用いる住宅の根太用断熱材。
【請求項３】
鋼材の溝部側に嵌合する嵌合用突起部に凹部が形成されている、請求項１又は２に記載の軽量形鋼を用いる住宅の根太用断熱材。
【請求項４】
下面部被覆用突起部と挟着用突起部との接触面に嵌合用凹凸部を形成した、請求項１〜３のいずれかに記載の軽量形鋼を用いる住宅の根太用断熱材。
【発明の詳細な説明】
【０００１】
【発明の属する技術分野】
本発明は、軽量形鋼を用いる住宅の床用根太に用いられる断熱材に関するものである。詳しくは、軽量形鋼を用いる住宅の床の根太として使用される断面形状がＣ型の鋼材を発泡樹脂製断熱材で脱落すること無く、作業性良く被覆して断熱を行なうための軽量形鋼を用いる住宅の根太用断熱材に関するものである。
【０００２】
【従来の技術】
従来、木造住宅用床の根太には木材が用いられていたことから、この様な木製の根太は熱を伝え難く、ある程度の断熱性があることから、断熱材で被覆する必要性はないと考えられていた。
一方、軽量形鋼を用いる住宅における床用根太においては、断面形状がＣ型の軽溝形鋼、リップ溝形鋼等の鋼材４からなる鉄骨材が用いられていたが、図２に示す様に、該鋼材４からなる根太の上面には木製の捨て板１１や仕上げ材１２が敷設されることから、必ずしも更に断熱材を敷設する必要性はないと考えられていた。
また、断熱性の向上のために断熱材を敷設する必要性がある場合には、根太の様な骨組み材自体を被覆することは容易でないことから、捨て板１１の下面側の鋼材４からなる根太を除いた部分のみに断熱材１０ａ，１０ｂを敷設して被覆していた。
しかし、この場合、床用根太の鋼材４が外気温に直接晒されていることから、結露し易いために床が腐り易く、断熱性は十分であるとは言えなかった。
そこで、断熱性向上のためにどうしても床用根太の鋼材４自体をも断熱しなければならない場合には、鋼材４自体にガラス繊維製マット等を巻き付けて接着剤で貼り付けて断熱を行う方法が試みられた。
だが、このような床用根太の鋼材４自体にガラス繊維製マット等を巻き付けて接着剤で貼り付けて断熱を行なうことは、断熱材の使用量が著しく増加するし、断熱材が脱落したり、手間もかかることから、工費節約等の観点から、骨組み材である床用根太の鋼材４自体まで被覆して断熱を行なうことは一般に行なわれなかった。
【０００３】
【発明が解決しようとする課題】
しかしながら、近年、炭酸ガスによる地球の温暖化から、省エネルギーのためにより一層のエネルギーの効率化が求められるようになり、今までに何ら断熱が行われなかった骨組み材自体をも断熱材により被覆して省エネルギー化することが求められるようになった。
それ故、骨組み材自体にガラス繊維製マットを巻き付けて断熱が行なわれたが、骨組み材自体の断面形状が特殊な構造をしているために、ガラスウール製断熱材等により隙間なく巻き付けて施工することは容易なことでなく、作業性良く断熱を行なうことは困難なことであった。
【０００４】
【課題を解決するための手段】
本発明者は、上記問題点に鑑みて鋭意研究を重ねた結果、断熱材が脱落すること無く被覆でき、しかも、作業性良く断熱を行なうために、断面形状がＣ型の鋼材を断面形状が略Ｌ型の被覆部材２と断面形状が略コ型の支持被覆部材３との少なくとも二つの部材により被覆して、断面形状が略コ型の支持被覆部材３の挟着用突起部３ｂと鋼材４の下面部４ａとの間で前記略Ｌ型の被覆部材２の下面部被覆用突起部２ｂを挟んで略Ｌ型の被覆部材２を支持固定することにより略Ｌ型の被覆部材２の脱落を防止することができるとの知見に基づき本発明を完成するに至ったものである。すなわち、本発明の軽量形鋼を用いる住宅の根太用断熱材は、軽量形鋼を用いる住宅の床用根太として用いられる断面形状がＣ形の鋼材を被覆して断熱を行なうための発泡樹脂製の断熱材において、該発泡樹脂製の断熱材が、断面形状が略Ｌ型の被覆部材と断面形状が上面部を極端に肉太とした略コ型の支持被覆部材との少なくとも二つの部材から構成されており、前記略Ｌ型の被覆部材が、その垂直部分を前記鋼材の側面の平坦部側を被覆する平坦部側被覆部となすと共に、その水平部分を鋼材の下面部側を被覆する下面部被覆用突起部となしたものであり、前記略コ型の支持被覆部材が、その上面部を鋼材の溝部側に嵌合する嵌合用突起部となすと共に、その支持被覆部材の下面部を鋼材側に突出して前記略Ｌ型の被覆部材の下面部被覆用突起部を前記鋼材の下面部との間で挟んで略Ｌ型の被覆部材を支持固定する挟着用突起部となしていることを特徴とするものである。
【０００５】
【発明の実施の形態】
[I]   軽量形鋼を用いる住宅の根太用発泡樹脂製断熱材
(1)  構  造
本発明の軽量形鋼を用いる住宅の根太用断熱材１の構造は、図１に示すように、断面形状が略Ｌ型の被覆部材２と断面形状が略コ型の支持被覆部材３の少なくとも二つの部材から構成されるものである。
また、断面形状がＣ形の鋼材４を被覆して断熱するのみであれば、組み合わせた断熱材１の形状が図３に示すような断面形状がほぼ四角の単純な形状のものであっても良いが、図４〜図５に示すように、床下用断熱材１０ａ，１０ｂを支持可能に形成することも、或いは、図６〜図８に示すように、床下用断熱材１０ａ，１０ｂと一体にして形成することもできる。
【０００６】
(A) 断面形状が略Ｌ型の被覆部材
上記断面形状が略Ｌ型の被覆部材２は、図１に示すように、その垂直部分を平坦部側被覆部２ａとなし、水平部分を下面部被覆用突起部２ｂとなしている。
【０００７】
(a) 平坦部側被覆部
上記断面形状が略Ｌ型の被覆部材２の垂直部分をなす平坦部側被覆部２ａは、軽量形鋼を用いる住宅の床用根太として用いられる断面形状がＣ形の軽溝形鋼、リップ溝形鋼等の鋼材４の平坦部４ｂ側を被覆する。該平坦部側被覆部２ａの上部には、図２に示すように、本発明の軽量形鋼を用いる住宅の根太用断熱材１に隣接して床下用断熱材１０ａ，１０ｂを敷設した際に床下用断熱材１０ａ，１０ｂが脱落しないように段部２ｃを形成することもできる。該段部２ｃは、図４〜図５に示すように、床下用断熱材１０ａ，１０ｂが鋼材４の平坦部４ｂ側に接するまでの深さとし、平坦部側被覆部２ａの上部全体で床下用断熱材１０ａ，１０ｂを支持して脱落を防止することもできる。
【０００８】
(b) 下面部被覆用突起部
上記断面形状が略Ｌ型の被覆部材２の水平部分をなす下面部被覆用突起部２ｂは、鋼材４側に突出し、軽量形鋼を用いる住宅の床用根太として用いられる断面形状がＣ形の軽溝形鋼、リップ溝形鋼等の鋼材４の下面部４ａ側を被覆するように形成されている。
【０００９】
(B) 断面形状が略コ型の支持被覆部材
上記断面形状が略コ型の支持被覆部材３には、図１に示すように、鋼材４側に突出する嵌合用突起部３ａと、同じく鋼材４側に突出する挟着用突起部３ｂとが形成されている。
【００１０】
(a) 嵌合用突起部
前記断面形状が略コ型の支持被覆部材３の上面部を鋼材４の溝部４ｃに嵌合する嵌合用突起部３ａとなしており、この嵌合用突起部３ａが鋼材４の溝部４ｃに嵌合して、鋼材４の底部４ａにより下側から支えられて断面形状が略コ型の支持被覆部材３が脱落するのを防止している。該嵌合用突起部３ａの鋼材４側には、図２に示すように、コスト削減から凹部５を形成することもできる。また、断面形状が略コ型の支持被覆部材３の上部には、図２に示すように、本発明の軽量形鋼を用いる住宅の根太用断熱材１に隣接して床下用断熱材１０ａ，１０ｂを敷設した際に床下用断熱材１０ａ，１０ｂが脱落しないように段部３ｃを形成することもできる。該段部３ｃは、図４〜図５に示すように、床下用断熱材１０ａ，１０ｂが鋼材４に接するまでの深さとしたり、図４に示すように、嵌合用突起部３ａの上端よりも低くすることができ、これらによって支持被覆部材３全体で床下用断熱材１０ａ，１０ｂを支持して脱落を防止することもできる。
【００１１】
（ｂ）挟着用突起部
前記断面形状が略コ型の支持被覆部材３の下面部を鋼材４側に突出する挟着用突起部３ｂとなしており、この挟着用突起部３ｂと前記鋼材の下面部４ａとの間で前記断面形状が略Ｌ型の被覆部材２の下面部被覆用突起部２ｂを挟んで、断面形状が略Ｌ型の被覆部材２を支持固定して、断面形状が略Ｌ型の被覆部材２が脱落するのを防止している。該挟着用突起部３ｂは、図４に示すように、断面形状が略Ｌ型の被覆部材２の底部２ｄ全体を支持して断面形状が略Ｌ型の被覆部材２が脱落するのを防止することもできる。または、図１０の（ａ）及び（ｂ）に示すように、上記下面部被覆用突起部２ｂと挟着用突起部３ｂとの接触面に、高さ（深さ）４ｍｍ以下、好ましくは３〜２ｍｍの嵌合用凹凸部２ｅ，３ｅを形成して、断面形状が略Ｌ型の被覆部材２が容易に外れて脱落するのを防止することもできる。
【００１２】
(2)  形  状
上記断面形状が略Ｌ型の被覆部材２及び断面形状が略コ型の支持被覆部材３の形状は、中実状のものであっても、又は、中空状のものであっても、或いは、図２、図６及び図８に示すように、凹部５を形成したものであっても良い。
また、その形状は、床用根太として用いられる断面形状がＣ型の軽溝形鋼、リップ溝形鋼等の鋼材４を前記断面形状が略Ｌ型の被覆部材２及び断面形状が略コ型の支持被覆部材３を組み合わせることにより被覆し、断熱を行なうため、使用する鋼材４の大きさや形状により適度な大きさのものを選択して採用し得るが、その使用状況、場所等により適度な大きさのものに切断して使用することもできる。
【００１３】
前記断面形状が略Ｌ型の被覆部材２及び断面形状が略コ型の支持被覆部材３は、一般に、適度な断熱性や適度な強度を保持するために、肉厚が通常２０〜９０ｍｍ、好ましくは２０〜５０ｍｍ、特に好ましくは２０〜４０ｍｍのものが使用される。また、これら断面形状が略Ｌ型の被覆部材２及び断面形状が略コ型の支持被覆部材３の長さは、９００ｍｍ程度で、両部材を組み合わせた状態の本発明の軽量形鋼を用いる住宅の根太用断熱材１で、長さ６００〜２，０００ｍｍ、高さ３００〜６００ｍｍ、幅３０〜２００ｍｍの大きさの、外観が概略直方体の形状のものとするのが好適である。また、これら軽量形鋼を用いる住宅の根太用断熱材１は、図１に示すように、断面形状がＣ型の軽溝形鋼、リップ溝形鋼等の鋼材４全体を被覆して断熱するために、該鋼材４の長さに合わせて、本発明の根太用断熱材１を幾つか接続した際に、その継ぎ目部分で断熱効果が低下しないように、略Ｌ型の被覆部材２及び略コ型の支持被覆部材３のそれぞれ両端にそれぞれ段部を形成することもできる。
【００１４】
これら本発明の軽量形鋼を用いる住宅の根太用断熱材１は、金型内で発泡樹脂により発泡成形されるため、金型により容易に型抜きできるような形状であることが製造コスト上の観点から好ましい。
また、基本的には断面形状が略Ｌ型の被覆部材２及び断面形状が略コ型の支持被覆部材３の形状のものであることが好ましいが、これらはそれぞれ二つ以上の部材に分割して形成することもできる。
また、本発明の軽量形鋼を用いる住宅の根太用断熱材１における上記断面形状が略Ｌ型の被覆部材２及び断面形状が略コ型の支持被覆部材３の形状は、樹脂の発泡成形により成形されることから、型抜きできなければ、大量生産によりコストを削減できないので、上記構造のように型抜きできるような構造である必要がある。
【００１５】
(3)  素  材
(A) 発泡樹脂
本発明の軽量形鋼を用いる住宅の根太用断熱材１を構成する素材としては、ポリスチレン系樹脂発泡体、ポリエチレン、ポリプロピレン等のポリオレフィン系樹脂発泡体、或いは、スチレン改質ポリオレフィン系樹脂発泡体等の発泡樹脂を挙げることができる。
上記発泡樹脂は、具体的には、例えば、ポリスチレン系樹脂、ポリエチレン、ポリプロピレン等のポリオレフィン系樹脂、或いは、スチレン改質ポリオレフィン系樹脂等の合成樹脂を、発泡倍率を２５〜８０倍にて発泡させた、通常、密度が０．０１２５〜０．０４ｇ／ｃｍ３の、独立気泡率の高い発泡樹脂を挙げることができる。
【００１６】
[II]  軽量形鋼を用いる住宅の床用根太
前記軽量形鋼を用いる住宅の根太用発泡樹脂製断熱材１により被覆する軽量形鋼を用いる住宅の床用根太としては、断面形状がＣ形の軽溝形鋼、リップ溝形鋼等の鋼材４が使用される。
該断面形状がＣ型の軽溝形鋼、リップ溝形鋼等の鋼材４は、いわゆる軽量鉄骨系プレハブ住宅或いはスチールハウス等に使用されるものであり、具体的には、図１に示す、リップ溝形鋼においては、高さ（Ｈ）が３００ｍｍ、幅（Ｗ）が５０ｍｍ、リップの長さが２０ｍｍ、厚み（ｔ）が１．６ｍｍ、又は、高さ（Ｈ）が２３５ｍｍ、幅（Ｗ）が４０ｍｍ、リップの長さが２０ｍｍ、厚み（ｔ）が１．６ｍｍ、又は、高さ（Ｈ）が１８４ｍｍ、幅（Ｗ）が４０ｍｍ、リップの長さが２０ｍｍ、厚み（ｔ）が１．０ｍｍ等の種類があり、或いは、軽溝形鋼においては、高さ（Ｈ）が３０４ｍｍ、幅（Ｗ）が４０ｍｍ、厚み（ｔ）が１．６ｍｍ、又は、高さ（Ｈ）が２３８ｍｍ、幅（Ｗ）が４０ｍｍ、厚み（ｔ）が１．２ｍｍ、又は、高さ（Ｈ）が９２ｍｍ、幅（Ｗ）が４０ｍｍ、厚み（ｔ）が１．２ｍｍ等の種類がある。
【００１７】
[III] 施 工
上記軽量形鋼を用いる住宅の根太として断面形状がＣ型の鋼材４を被覆・断熱を行なうには、図２に示す様に、先ず、断面形状がＣ型の鋼材４の溝部４ｃに略コ型の支持被覆部材３の上面部をなす嵌合用突起部３aを嵌合させて、鋼材４の溝部４ｃ側を被覆する。次に、鋼材４の側面の平坦部側４ｂに断面形状が略Ｌ型の被覆部材２を当接し、その下方側に形成した下面部被覆用突起部２ｂを前記鋼材４の下面部４ａと断面形状が略コ型の支持被覆部材３との間に嵌入させて鋼材４の下面部４ａ側を被覆すると共に、断面形状が略コ型の支持被覆部材３と前記鋼材４の下面部４ａとの間で挟着されて断面形状が略Ｌ型の被覆部材２を支持固定する。そして、該軽量形鋼を用いる住宅の根太用断熱材１に隣接して床下用断熱材１０ａ，１０ｂを敷設し、更に、Ｃ形の鋼材４及び軽量形鋼を用いる住宅の根太用断熱材１の上に捨て板１１を敷設した後、この捨て板１１の上に仕上げ材１２を敷設する。
【００１８】
【作用】
本発明の軽量形鋼を用いる住宅の根太用断熱材１は、断面形状が略Ｌ型の被覆部材２と断面形状が略コ型の支持被覆部材３との少なくとも二つの部材から構成されており、断面形状が略Ｌ型の被覆部材２の垂直部分をなす平坦部側被覆部２ａで断面形状がＣ形の軽溝形鋼、リップ溝形鋼等の鋼材４の平坦部４ｂ側を被覆し、水平部分をなす下面部被覆用突起部２ｂで前記鋼材４の下面部４ａ側を被覆する。また、断面形状が略コ型の支持被覆部材３の上面部をなす嵌合用突起部３ａを断面形状がＣ形の鋼材４の溝部４ｃに嵌合して、断面形状が略コ型の支持被覆部材３の脱落下を防止し、下面部をなす挟着用突起部３ｂと前記鋼材４の下面部４ａとの間で前記下面部被覆用突起部２ｂを挟んで断面形状が略Ｌ型の被覆部材２を支持固定して一体とさせている。
【００１９】
【実施例】
本発明の軽量形鋼を用いる住宅の根太用発泡樹脂製断熱材について、以下にその一実施例を挙げて、図面に基づき具体的に説明する。図１は、断面形状がＣ型の鋼材に被覆して断熱した本発明の軽量形鋼を用いる住宅の根太用発泡樹脂製断熱材の斜視図であり、図２は、断面形状がＣ型の鋼材を被覆し、更に、床下用断熱材、捨て板及び仕上げ材を施工した本発明の軽量形鋼を用いる住宅の根太用発泡樹脂製断熱材の断面図であり、図３〜図５は本発明の軽量形鋼を用いる住宅の根太用発泡樹脂製断熱材の他の実施例の断面図であり、図６は床下用断熱材と一体に形成した本発明の軽量形鋼を用いる住宅の根太用発泡樹脂製断熱材を用いた床構造の断面図であり、図７〜図８は図６の床構造に用いた断面形状が略Ｌ型の被覆部材と床下断熱材とが一体に形成された断熱材及び断面形状が略コ型の支持被覆部材の寸法（単位：ｍｍ）を表し、図９は図７の断面形状が略Ｌ型の被覆部材と床下断熱材とが一体に形成された断熱材より床下断熱材を切り離した断面形状が略Ｌ型の被覆部材の寸法（単位：ｍｍ）を表し、図１０は下面部被覆用突起部と挟着用突起部の接触面の部分拡大図を表す。
【００２０】
１は、図８にて示される長さ９０９ｍｍ、幅２８５ｍｍ、厚さ９０ｍｍの寸法の発泡倍率５０倍、密度０．０２ｇ／ｃｍ３、独立気泡率略１００％の発泡ポリスチレン製の断面形状が略コ型の支持被覆部材３と、図９にて示される長さ９０９ｍｍ、幅２８５ｍｍ、厚さ９０ｍｍの寸法の発泡倍率５０倍、密度０．０２ｇ／ｃｍ３、独立気泡率略１００％の発泡ポリスチレン製の断面形状が略Ｌ型の被覆部材２との二つの部材から構成されている軽量形鋼を用いる住宅の根太用発泡樹脂製断熱材である。高さ（Ｈ）が２３５ｍｍ、幅（Ｗ）が４０ｍｍ、リップの長さが２０ｍｍ、厚み（ｔ）が１．６ｍｍ、長さ（Ｌ）が３，６００ｍｍの断面形状がＣ型のリップ溝形鋼４の溝部４ｃに、上記図８に示す断面形状が略コ型の支持被覆部材３の上面部をなす嵌合用突起部３aを嵌合させて、上記鋼材４に上記断面形状が略コ型の支持被覆部材３を該鋼材４の長さ方向に４個接続し固定した。次に、上記鋼材４の側面の平坦部分４ｂ側に上記断面形状が略Ｌ型の被覆部材２の垂直部分をなす平坦部側被覆部２ａを当接して被覆した後、該被覆部材２の水平部分をなす下面部被覆用突起部２ｂを鋼材４の下面部４ａ側を被覆するために、前記鋼材４の下面部４ａと前記断面形状が略コ型の支持被覆部材３の下面部をなす挟着用突起部３ｂとの間の凹部に挿入して、前記鋼材４の下面部４ａと前記断面形状が略コ型の支持被覆部材３の下面部をなす挟着用突起部３ｂとの間で挟んで固定して一体とし、この下面部被覆用突起部２ｂを上記鋼材４の長さ方向に４個接続し固定した。
【００２１】
そして、上記断面形状が略Ｌ型の被覆部材２の段部２ｃ及び断面形状が略コ型の支持被覆部材３の段部３ｃに厚さ５０ｍｍの床下用断熱材１０ａ，１０ｂを敷設し、更に、Ｃ形の鋼材４及び軽量形鋼を用いる住宅の根太用断熱材１の上に厚さ１２ｍｍの捨て板１１を敷設した後、この捨て板１１の上に厚さ１２ｍｍの仕上げ材１２を敷設する。このようにして形成した本発明の軽量形鋼を用いる住宅の根太用断熱材１は、施工時の作業性が極めて良好で、施工が容易で、安価に断熱を行なうことができ、しかも、床用根太として用いられる断面形状がＣ型の鋼材４より脱落すること無く被覆することができ、更に、保温性が十分で、結露も無いことから、床が腐り難かった。
【００２２】
【発明の効果】
上記のように構成した本発明の軽量形鋼を用いる住宅の根太用断熱材は、床用根太として用いられる断面形状がＣ型の鋼材に脱落すること無く被覆して断熱することができ、しかも、作業性が極めて良好なので、安価に断熱を行なうことができる。
【図面の簡単な説明】
【図１】図１は、断面形状がＣ型のリップ溝形鋼材を被覆して断熱した本発明実施例の軽量形鋼を用いる住宅の根太用発泡樹脂製断熱材の斜視図である。
【図２】図２は、断面形状がＣ型のリップ溝形鋼材を被覆し、更に、床下断熱材、捨て板及び仕上げ材を施工した本発明の軽量形鋼を用いる住宅の根太用発泡樹脂製断熱材を用いた床構造の断面図である。
【図３】図３は、断面形状がＣ型のリップ溝形鋼材を被覆し、更に、床下断熱材、捨て板及び仕上げ材を施工した本発明の他の実施例の軽量形鋼を用いる住宅の根太用発泡樹脂製断熱材を用いた床構造の断面図である。
【図４】図４は、断面形状がＣ型のリップ溝形鋼材を被覆し、更に、床下断熱材、捨て板及び仕上げ材を施工した本発明の他の実施例の軽量形鋼を用いる住宅の根太用発泡樹脂製断熱材を用いた床構造の断面図である。
【図５】図５は、断面形状がＣ型のリップ溝形鋼材を被覆し、更に、床下断熱材、捨て板及び仕上げ材を施工した本発明の他の実施例の軽量形鋼を用いる住宅の根太用発泡樹脂製断熱材を用いた床構造の断面図である。
【図６】図６は、断面形状が略Ｌ型の被覆部材が床下断熱材と一体に形成された軽量形鋼を用いる住宅の根太用発泡樹脂製断熱材を用いた本発明実施例の床構造の一部切り欠き断面図である。
【図７】図７は、図６の床構造に用いた断面形状が略Ｌ型の被覆部材と床下断熱材とが一体に形成された断熱材の正面図（ａ）、平面図（ｂ）、側面図（ｃ）を表し、数字はその寸法（単位：ｍｍ）を表す。
【図８】図８は、図６の床構造に用いた断面形状が略コ型の支持被覆部材３の正面図  （ａ）、底面図（ｂ）、側面図（ｃ）を表し、数字はその寸法（単位：ｍｍ）を表す。
【図９】図９は、図７の断面形状が略Ｌ型の被覆部材と床下断熱材とが一体に形成された断熱材より床下断熱材部分を切り離した断面形状が略Ｌ型の被覆部材の正面図（ａ）、平面図（ｂ）、側面図（ｃ）を表し、数字はその寸法（単位：ｍｍ）を表す。
【図１０】図１０は、図１の断面形状がＣ型のリップ溝形鋼材を被覆して断熱した軽量形鋼を用いる住宅の根太用発泡樹脂製断熱材の下面部被覆用突起部と挟着用突起部の接触面の部分拡大図である。
【符号の説明】
１ 軽量形鋼を用いる住宅の根太用断熱材
２ 断面形状が略Ｌ型の被覆部材
２ａ 平坦部側被覆部
２ｂ 下面部被覆用突起部
２ｃ 段部
２ｄ 底部
２ｅ 嵌合用凸部
３ 断面形状が略コ型の支持被覆部材
３ａ 嵌合用突起部
３ｂ 挟着用突起部
３ｃ 段部
３ｅ 嵌合用凹部
４ 断面形状がＣ型の鋼材
４ａ 鋼材の下面部
４ｂ 鋼材の平坦部
４ｃ 鋼材の溝部
５ 凹部
１０ａ，１０ｂ 床用断熱材
１１ 捨て板
１２ 仕上げ材
【図１】
0003948810.tif 000002
【図２】
0003948810.tif 000003
【図３】
0003948810.tif 000004
【図４】
0003948810.tif 000005
【図５】
0003948810.tif 000006
【図６】
0003948810.tif 000007
【図７】
0003948810.tif 000008
【図８】
0003948810.tif 000009
【図９】
0003948810.tif 000010
【図１０】
0003948810.tif 000011